(57)【要約】【課題】画像を表示する態様に対応する適切な方法により、画像データを伝送する。【解決手段】複数の端末装置２とプロジェクター１とを備える投射システム１００であって、端末装置２は、シングル画面用画像データを第１通信方式で送信する第１無線端末Ｉ／Ｆとシングル画面用画像データより狭い帯域で送信可能なマルチ画面用画像データを第２通信方式で送信する第２無線端末Ｉ／Ｆとを有し、プロジェクター１は、シングル画面用画像データを受信する第１無線ＰＪＩ／Ｆ２３２Ａとマルチ画面用画像データを受信する第２無線ＰＪＩ／Ｆ２３２Ｂと投射部１０とを有し、シングル画面投射をする場合、投射部１０はシングル画面用画像データに基づくシングル画面用画像を投射させ、マルチ画面投射をする場合、投射部１０は複数のマルチ画面用画像データに基づく複数のマルチ画面用画像を投射させる。【選択図】図３
2020027996.tif 000002
【特許請求の範囲】
【請求項１】
第１端末装置と、第２端末装置と、前記第１端末装置及び前記第２端末装置に通信可能な表示装置とを備える表示システムであって、
前記第１端末装置と前記第２端末装置の各々は、
第１通信方式によって、前記表示装置にデータを送信する第１端末通信部と、
前記第１通信方式より通信帯域の狭い第２通信方式によって、前記表示装置にデータを送信する第２端末通信部と、を有し、
前記表示装置は、
前記第１通信方式によって、第１画像データを前記第１端末装置から受信する第１表示通信部と、
前記第２通信方式によって、前記第１画像データより狭い通信帯域で送信可能な第２画像データを前記第１端末装置及び前記第２端末装置から受信する第２表示通信部と、
前記第１端末装置から受信した画像データに基づく画像を表示する１画面表示と、前記第１端末装置と前記第２端末装置とから受信した画像データに基づく画像を表示する複数画面表示とを行う表示部と、を有し、
前記表示部が前記１画面表示を行う場合、前記第１表示通信部は、前記第１端末装置から前記第１画像データを受信し、前記表示部は、前記第１画像データに基づく第１画像を表示し、
前記表示部が前記複数画面表示を行う場合、前記第２表示通信部は、前記第１端末装置と前記第２端末装置とから前記第２画像データを受信し、前記表示部は、前記第２画像データに基づく第２画像を表示する、
表示システム。
【請求項２】
前記表示装置は、前記表示部に対して前記１画面表示と前記複数画面表示とを切り替えて表示させる表示装置制御部、を有する、
請求項１に記載の表示システム。
【請求項３】
前記第１端末装置は、
記憶部と、
前記第２表示通信部と接続するための第２接続情報を前記記憶部に記憶させる端末制御部と、を有する、
請求項１に記載の表示システム。
【請求項４】
前記端末制御部は、
前記表示装置が前記複数画面表示から前記１画面表示に切り替わる際に、前記第１表示通信部と接続するための第１接続情報を、前記第２端末通信部によって前記表示装置から取得し、取得した前記第１接続情報を、前記記憶部に記憶した前記第２接続情報と対応付けて、前記記憶部に記憶させる、
請求項３に記載の表示システム。
【請求項５】
前記端末制御部は、
前記第１接続情報を前記第２端末通信部によって前記表示装置から取得した後に、前記表示装置に対して前記複数画面表示から前記１画面表示への切り替えを指示する制御情報を前記第２端末通信部によって送信し、前記記憶部に記憶した前記第１接続情報に基づいて前記第１端末通信部によって前記第１表示通信部と接続する、
請求項４に記載の表示システム。
【請求項６】
前記端末制御部は、
前記表示装置に対して前記１画面表示から前記複数画面表示への切り替えを指示する制御情報を前記第１端末通信部によって送信し、前記記憶部に記憶した前記第２接続情報に基づいて、前記第２端末通信部によって前記第２表示通信部と接続する、
請求項３又は４に記載の表示システム。
【請求項７】
前記第１端末通信部は、前記第１画像データとして映像データをストリーミング送信し、
前記第２端末通信部は、前記第２画像データとして静止画像データを送信する、
請求項１から６のいずれか一項に記載の表示システム。
【請求項８】
前記第１端末装置は、端末表示部を備え、
前記第２端末通信部は、前記第２画像データとして、前記端末表示部に表示された画像の静止画像データを送信する、
請求項６に記載の表示システム。
【請求項９】
前記第１端末装置は、端末表示部を備え、
前記第２画像データは、前記端末表示部に表示された画像データを圧縮したキャプチャー画像である、
請求項１から６のいずれか一項に記載の表示システム。
【請求項１０】
第１端末装置と、第２端末装置と、表示部を有し、前記第１端末装置及び前記第２端末装置に通信可能な表示装置とを備える表示システムの制御方法であって、
前記表示装置が前記第１端末装置から受信した画像データに基づく第１画像を表示する１画面表示を行う場合、
前記第１端末装置は、第１通信方式によって第１画像データを前記表示装置に送信し、
前記表示装置は、前記第１端末装置から受信した前記第１画像データに基づく前記第１画像を前記表示部に表示させ、
前記表示装置が前記第１端末装置と前記第２端末装置とから受信した画像データに基づく第２画像を表示する複数画面表示を行う場合、
前記第１端末装置と前記第２端末装置とは、第２通信方式によって前記第１画像データより狭い通信帯域で送信可能な第２画像データを前記表示装置に送信し、
前記表示装置は、前記第１端末装置と前記第２端末装置とから受信した前記第２画像データに基づく複数の前記第２画像を前記表示部に表示させる、
表示システムの制御方法。
【請求項１１】
第１端末装置及び第２端末装置と通信可能な表示装置であって、
第１画像データを第１通信方式によって前記第１端末装置から受信する第１表示通信部と、
前記第１画像データより狭い通信帯域で送信可能な第２画像データを、第２通信方式によって前記第１端末装置と前記第２端末装置とから受信する第２表示通信部と、
前記第１端末装置から受信した画像データに基づく画像を表示する１画面表示と、前記第１端末装置と前記第２端末装置とから受信した画像データに基づく画像を表示する複数画面表示を行う表示部と、を有し、
前記表示部が前記１画面表示を行う場合、前記第１表示通信部は、前記第１端末装置から前記第１画像データを受信し、前記表示部は、前記第１画像データに基づく第１画像を表示し、
前記表示部が前記複数画面表示を行う場合、前記第２表示通信部は、前記第１端末装置と前記第２端末装置とから前記第２画像データを受信し、前記表示部は、前記第２画像データに基づく複数の第２画像を表示する、
表示装置。
【請求項１２】
表示装置と通信可能に接続される端末装置であって、
データを第１通信方式によって前記表示装置に送信する第１端末通信部と、
前記第１通信方式より通信帯域が狭い第２通信方式によって、前記表示装置にデータを送信する第２端末通信部と、を備え、
前記表示装置が、表示部により第１端末装置から受信した画像データに基づく画像を表示する１画面表示を行う場合に、前記第１端末通信部は、第１画像データを前記表示装置に送信し、
前記表示装置が、前記表示部により前記第１端末装置と第２端末装置とから受信した画像データに基づく画像を表示する複数画面表示を行う場合に、前記第２端末通信部は、前記第１画像データより狭い通信帯域で送信可能な第２画像データを前記表示装置に送信する、
端末装置。
【請求項１３】
記憶部と、端末制御部と、を有し、
前記端末制御部は、前記第２端末通信部により前記表示装置と接続するための第２接続情報を前記記憶部に記憶させ、
前記表示装置が前記複数画面表示から前記１画面表示に切り替わる際に、前記第１端末通信部により前記表示装置と接続するための第１接続情報を、前記第２端末通信部によって前記表示装置から取得し、取得した前記第１接続情報を、前記記憶部に記憶した前記第２接続情報と対応付けて、前記記憶部に記憶させる、
請求項１２記載の端末装置。
【発明の詳細な説明】
【技術分野】
【０００１】
本発明は、表示システム、表示システムの制御方法、表示装置、及び、端末装置に関する。
【背景技術】
【０００２】
従来、端末装置から受信した画像データに基づく画像を１又は複数表示する技術が知られている（例えば、特許文献１参照）。特許文献１では、シンク機器と、１又は複数のソース機器とがダイレクト通信方式により通信し、シンク機器がソース機器から受信した画像データに基づく画像を１又は複数表示する技術を開示する。
【先行技術文献】
【特許文献】
【０００３】
【特許文献１】国際公開第２０１６／１１７１９６号
【発明の概要】
【発明が解決しようとする課題】
【０００４】
本発明は、画像を表示する態様に対応する適切な方法により、画像データを伝送することを目的とする。
【課題を解決するための手段】
【０００５】
上記目的を達成するための一態様は、第１端末装置と、第２端末装置と、前記第１端末装置及び前記第２端末装置に通信可能な表示装置とを備える表示システムであって、前記第１端末装置と前記第２端末装置の各々は、第１通信方式によって、前記表示装置にデータを送信する第１端末通信部と、前記第１通信方式より通信帯域の狭い第２通信方式によって、前記表示装置にデータを送信する第２端末通信部と、を有し、前記表示装置は、前記第１通信方式によって、第１画像データを前記第１端末装置から受信する第１表示通信部と、前記第２通信方式によって、前記第１画像データより狭い通信帯域で送信可能な第２画像データを前記第１端末装置及び前記第２端末装置から受信する第２表示通信部と、前記第１端末装置から受信した画像データに基づく画像を表示する１画面表示と、前記第１端末装置と前記第２端末装置とから受信した画像データに基づく画像を表示する複数画面表示とを行う表示部と、を有し、前記表示部が前記１画面表示を行う場合、前記第１表示通信部は、前記第１端末装置から前記第１画像データを受信し、前記表示部は、前記第１画像データに基づく第１画像を表示し、前記表示部が前記複数画面表示を行う場合、前記第２表示通信部は、前記第１端末装置と前記第２端末装置とから前記第２画像データを受信し、前記表示部は、前記第２画像データに基づく第２画像を表示する。
【０００６】
上記表示システムにおいて、前記表示装置は、前記表示部に対して前記１画面表示と前記複数画面表示とを切り替えて表示させる表示装置制御部、を有する構成としてもよい。
【０００７】
上記表示システムにおいて、前記第１端末装置は、記憶部と、前記第２表示通信部と接続するための第２接続情報を前記記憶部に記憶させる端末制御部とを有する構成でもよい。
【０００８】
上記表示システムにおいて、前記端末制御部は、前記表示装置が前記複数画面表示から前記１画面表示に切り替わる際に、前記第１表示通信部と接続するための第１接続情報を、前記第２端末通信部によって前記表示装置から取得し、取得した前記第１接続情報を、前記記憶部に記憶した前記第２接続情報と対応付けて、前記記憶部に記憶させる構成でもよい。
【０００９】
上記表示システムにおいて、前記端末制御部は、前記第１接続情報を前記第２端末通信部によって前記表示装置から取得した後に、前記表示装置に対して前記複数画面表示から前記１画面表示への切り替えを指示する制御情報を前記第２端末通信部によって送信し、前記記憶部に記憶した前記第１接続情報に基づいて前記第１端末通信部によって前記第１表示通信部と接続する構成でもよい。
【００１０】
上記表示システムにおいて、前記端末制御部は、前記表示装置に対して前記１画面表示から前記複数画面表示への切り替えを指示する制御情報を前記第１端末通信部によって送信し、前記記憶部に記憶した前記第２接続情報に基づいて、前記第２端末通信部によって前記第２表示通信部と接続する構成でもよい。
【００１１】
上記表示システムにおいて、前記第１端末通信部は、前記第１画像データとして映像データをストリーミング送信し、前記第２端末通信部は、前記第２画像データとして静止画像データを送信する構成でもよい。
【００１２】
上記表示システムにおいて、前記第１端末装置は、端末表示部を備え、前記第２端末通信部は、前記第２画像データとして、前記端末表示部に表示された画像の静止画像データを送信する構成でもよい。
【００１３】
上記表示システムにおいて、前記第１端末装置は、端末表示部を備え、前記第２画像データは、前記端末表示部に表示された画像データを圧縮したキャプチャー画像であってもよい。
【００１４】
上記目的を達成する別の一態様は、第１端末装置と、第２端末装置と、表示部を有し、前記第１端末装置及び前記第２端末装置に通信可能な表示装置とを備える表示システムの制御方法であって、前記表示装置が前記第１端末装置から受信した画像データに基づく第１画像を表示する１画面表示を行う場合、前記第１端末装置は、第１通信方式によって第１画像データを前記表示装置に送信し、前記表示装置は、前記第１端末装置から受信した前記第１画像データに基づく前記第１画像を前記表示部に表示させ、前記表示装置が前記第１端末装置と前記第２端末装置とから受信した画像データに基づく第２画像を表示する複数画面表示を行う場合、前記第１端末装置と前記第２端末装置とは、第２通信方式によって前記第１画像データより狭い通信帯域で送信可能な第２画像データを前記表示装置に送信し、前記表示装置は、前記第１端末装置と前記第２端末装置とから受信した前記第２画像データに基づく複数の前記第２画像を前記表示部に表示させる。
【００１５】
上記目的を達成するさらに別の一態様は、第１端末装置及び第２端末装置と通信可能な表示装置であって、第１画像データを第１通信方式によって前記第１端末装置から受信する第１表示通信部と、前記第１画像データより狭い通信帯域で送信可能な第２画像データを、第２通信方式によって前記第１端末装置と前記第２端末装置とから受信する第２表示通信部と、前記第１端末装置から受信した画像データに基づく画像を表示する１画面表示と、前記第１端末装置と前記第２端末装置とから受信した画像データに基づく画像を表示する複数画面表示を行う表示部と、を有し、前記表示部が前記１画面表示を行う場合、前記第１表示通信部は、前記第１端末装置から前記第１画像データを受信し、前記表示部は、前記第１画像データに基づく第１画像を表示し、前記表示部が前記複数画面表示を行う場合、前記第２表示通信部は、前記第１端末装置と前記第２端末装置とから前記第２画像データを受信し、前記表示部は、前記第２画像データに基づく複数の第２画像を表示する。
【００１６】
上記目的を達成するさらに別の一態様は、表示装置と通信可能に接続される端末装置であって、データを第１通信方式によって前記表示装置に送信する第１端末通信部と、前記第１通信方式より通信帯域が狭い第２通信方式によって前記表示装置にデータを送信する第２端末通信部と、を備え、前記表示装置が、表示部により第１端末装置から受信した画像データに基づく画像を表示する１画面表示を行う場合に、前記第１端末通信部は、第１画像データを前記表示装置に送信し、前記表示装置が、前記表示部により前記第１端末装置と第２端末装置とから受信した画像データに基づく画像を表示する複数画面表示を行う場合に、前記第２端末通信部は、前記第１画像データより狭い通信帯域で送信可能な前記第２画像データを前記表示装置に送信する。
【００１７】
上記端末装置において、記憶部と、端末制御部と、を有し、前記端末制御部は、前記第２端末通信部により前記表示装置と接続するための第２接続情報を前記記憶部に記憶させ、前記表示装置が前記複数画面表示から前記１画面表示に切り替わる際に、前記第１端末通信部により前記表示装置と接続するための第１接続情報を、前記第２端末通信部によって前記表示装置から取得し、取得した前記第１接続情報を、前記記憶部に記憶した前記第２接続情報と対応付けて、前記記憶部に記憶させる構成でもよい。
【図面の簡単な説明】
【００１８】
【図１】投射システムの構成を示す図。
【図２】投射システムの構成を示す図。
【図３】プロジェクターの構成を示す図。
【図４】端末装置の構成を示す図。
【図５】投射システムの動作を示すフローチャート。
【発明を実施するための形態】
【００１９】
図１、及び図２は、表示システムの一態様である投射システム１００の構成を示す図である。投射システム１００は、プロジェクター１と、端末装置２Ａ、２Ｂ、２Ｃ、２Ｄとを備える。プロジェクター１は、表示装置に相当する。以下の説明では、端末装置２Ａ、２Ｂ、２Ｃ、２Ｄのそれぞれを区別しない場合、端末装置２と総称する。
【００２０】
図１は、プロジェクター１がシングル画面投射を実行する場合におけるプロジェクター１と端末装置２Ａ、２Ｂ、２Ｃ、２Ｄとの通信接続状態を示している。シングル画面投射の詳細については、後述する。なお、シングル画面投射は、１画面表示に相当する。
図２は、プロジェクター１がマルチ画面投射を実行する場合におけるプロジェクター１と端末装置２Ａ、２Ｂ、２Ｃ、２Ｄとの通信接続状態を示している。マルチ画面投射の詳細については、後述する。なお、マルチ画面投射は、複数画面表示に相当する。
【００２１】
プロジェクター１は、１又は複数の端末装置２から入力される画像データに基づき、投射面であるスクリーンＳＣに投射画像を投射する。プロジェクター１による投射画像の投射は、表示装置による画像の表示の一例である。スクリーンＳＣは、幕状のスクリーンであってもよいし、建造物の壁面や設置物の平面をスクリーンＳＣとして利用してもよい。スクリーンＳＣは平面に限らず、曲面や凹凸を有する面であってもよい。
【００２２】
端末装置２は、例えば、ノート型ＰＣ（Ｐｅｒｓｏｎａｌ  Ｃｏｍｐｕｔｅｒ）やデスクトップ型ＰＣ等の装置である。図１、及び図２では、端末装置２としてノート型ＰＣを例示している。なお、端末装置２は、パーソナルコンピューターに限定されず、タブレット端末、スマートフォン等を用いることができる。
【００２３】
プロジェクター１と端末装置２とは、第１通信方式、又は第２通信方式によって通信する。
【００２４】
第１通信方式は、１台のプロジェクター１と１台の端末装置２とが１対１で通信する通信方式である。第１通信方式としては、Ｗｉ−Ｆｉ  Ｄｉｒｅｃｔ等のアクセスポイントＡＰを介さず無線通信するダイレクト通信方式が一例として挙げられる。Ｗｉ−Ｆｉは、登録商標である。なお、Ｗｉ−Ｆｉ  Ｄｉｒｅｃｔ方式を利用した通信規格としては、Ｍｉｒａｃａｓｔが一例として挙げられる。Ｍｉｒａｃａｓｔは、登録商標である。
【００２５】
第２通信方式は、１台のプロジェクター１と複数台の端末装置２とが１対多数で通信可能な通信方式である。第２通信方式としては、アクセスポイントＡＰを介して無線通信するインフラストラクチャー通信方式が一例として挙げられる。
【００２６】
プロジェクター１は、シングル画像投射とマルチ画像投射とを切り替えて実行可能に構成される。シングル画像投射とは、スクリーンＳＣの投射可能領域ＳＣＡ内に１の端末装置２から入力された画像データのみに基づく画像を投射する投射態様である。プロジェクター１がシングル画像投射を行う場合において、プロジェクター１に画像データを送信する端末装置２は、第１端末装置に相当する。マルチ画像投射とは、スクリーンＳＣの投射可能領域ＳＣＡ内に複数の端末装置２から入力された複数の画像データに基づく複数の画像を配置して投射する投射態様である。シングル画像投射実行時にプロジェクター１に画像データを送信しない端末装置２であって、プロジェクター１がマルチ画像投射を行う場合においてプロジェクター１に画像データを送信する端末装置２は、第２端末装置に相当する。
【００２７】
本実施形態では、プロジェクター１がシングル画像投射を実行する場合、プロジェクター１と１台の端末装置２とが第１通信方式によって通信する。図１は、プロジェクター１と端末装置２Ａとが第１通信方式で無線通信し、プロジェクター１が端末装置２Ａの表示パネル６２１に表示された画像と同じ画像をシングル画面投射している場合を示している。図１では、端末装置２Ａが第１端末装置に相当し、端末装置２Ｂ、２Ｃ、２Ｄのそれぞれが第２端末装置に相当する。
【００２８】
また、本実施形態では、プロジェクター１がマルチ画像投射を実行する場合、プロジェクター１と複数台の端末装置２とが第２通信方式によって通信する。図２は、プロジェクター１と端末装置２Ａ、２Ｂ、２Ｃ、２ＤのそれぞれとがアクセスポイントＡＰが構築する無線ネットワークＮＷに接続し、プロジェクター１と端末装置２Ａ、２Ｂ、２Ｃ、２Ｄのそれぞれとが第２通信方式で無線通信している場合を示している。また、図２では、端末装置２Ａ、２Ｂ、２Ｃ、２Ｄの表示パネル６２１に表示された画像と同じ画像を投射可能領域ＳＣＡ内に配置して投射するマルチ画面投射を、プロジェクター１が実行している場合を示している。
【００２９】
次に、プロジェクター１の構成について説明する。
図３は、プロジェクター１の構成を示す図である。
【００３０】
プロジェクター１は、プロジェクター１の各部を制御するプロジェクター制御部３と、投射画像を投射する投射部１０とを備える。プロジェクター制御部３は、表示装置制御部に相当する。また、投射部１０は、表示部に相当する。
【００３１】
プロジェクター制御部３は、演算処理を実行するＣＰＵであるプロジェクターＣＰＵ３０、及び、プロジェクター記憶部３１により構成される。プロジェクターＣＰＵ３０は、単一のプロセッサーで構成されてもよいし、複数のプロセッサーがプロジェクターＣＰＵ３０として機能する構成であってもよい。プロジェクター記憶部３１は、プロジェクターＣＰＵ３０が実行する制御プログラム３１１、及び、設定データ３１２を不揮発的に記憶する記憶装置であり、フラッシュＲＯＭ等の半導体記憶素子等で構成される。プロジェクター記憶部３１は、プロジェクターＣＰＵ３０のワークエリアを構成するＲＡＭを含んでもよい。
【００３２】
プロジェクター記憶部３１は、制御プログラム３１１のほか、設定データ３１２を記憶する。設定データ３１２は、プロジェクター１の動作に関する設定値を含む。設定データ３１２に含まれる設定値は、例えば、画像処理部２５が実行する処理内容、画像処理部２５の処理に用いるパラメーター等である。プロジェクター記憶部３１は、その他のプログラムやデータを記憶してもよい。
【００３３】
プロジェクター制御部３の機能は、プロジェクターＣＰＵ３０が制御プログラム３１１を実行することにより、ソフトウェアとハードウェアの協働により実現される。
【００３４】
投射部１０は、光源１１、光変調装置１２、及び、投射光学系１３を備える。
【００３５】
光源１１は、ハロゲンランプ、キセノンランプ、超高圧水銀ランプ等のランプ、或いは、ＬＥＤやレーザー光源等の固体光源で構成される。光源１１は、光源駆動部２１から供給される電力により点灯し、光変調装置１２に向けて光を発する。
【００３６】
光源駆動部２１は、プロジェクター制御部３の制御に従って光源１１に駆動電流やパルスを供給し、光源１１を発光させる。
【００３７】
光変調装置１２は、光変調装置駆動部２２により駆動されて画像を形成する液晶パネル等の画像形成部を備える。光変調装置１２は、画像形成部に形成した画像により、光源１１が発した光を変調して画像光を生成し、投射光学系１３に向けて投射する。画像形成部は、透過型液晶パネル、反射型液晶パネル、デジタルミラーデバイス等により構成される。
【００３８】
投射光学系１３は、レンズやミラー等の光学素子を備え、光変調装置１２で変調された光をスクリーンＳＣ上に結像させ、投射画像を投射する。
【００３９】
プロジェクター１は、プロジェクターインターフェース２３、フレームメモリー２４、画像処理部２５、及び、操作部５１を備える。これらの各部は、バス２６を介してプロジェクター制御部３とデータ通信可能に接続される。以下では、インターフェースを、Ｉ／Ｆと略して表記する。
【００４０】
プロジェクターＩ／Ｆ２３は、データ通信用の有線ＰＪＩ／Ｆ２３１と、データ通信用の無線ＰＪＩ／Ｆ２３２とを備える。有線ＰＪＩ／Ｆ２３１は、ＨＤＭＩやＵＳＢ等の有線通信規格に準拠したコネクター及びＩ／Ｆ回路等の通信デバイスを備え、有線通信規格に従ってデータを受信する。ＨＤＭＩは、登録商標である。
【００４１】
無線ＰＪＩ／Ｆ２３２は、第１無線ＰＪＩ／Ｆ２３２Ａと、第２無線ＰＪＩ／Ｆ２３２Ｂとを備える。第１無線ＰＪＩ／Ｆ２３２Ａは、第１表示通信部に相当する。また、第２無線ＰＪＩ／Ｆ２３２Ｂは、第２表示通信部に相当する。
第１無線ＰＪＩ／Ｆ２３２Ａは、Ｉ／Ｆ回路等により構成される無線通信デバイスであり、所定の無線通信規格に従ってデータを第１通信方式によって受信する。第２無線ＰＪＩ／Ｆ２３２Ｂは、Ｉ／Ｆ回路等により構成される無線通信デバイスであり、所定の無線通信規格に従って第２通信方式によってデータを受信する。
【００４２】
フレームメモリー２４は、複数のバンクを備える。各バンクは、画像データの１フレームを書き込み可能な記憶容量を有する。フレームメモリー２４は、例えば、ＳＤＲＡＭにより構成される。なお、ＳＤＲＡＭは、Ｓｙｎｃｈｒｏｎｏｕｓ  Ｄｙｎａｍｉｃ  Ｒａｎｄｏｍ  Ａｃｃｅｓｓ  Ｍｅｍｏｒｙの略である。
【００４３】
画像処理部２５は、フレームメモリー２４に展開された画像データに対して、例えば、解像度変換処理又はリサイズ処理、歪曲収差の補正、形状補正処理、デジタルズーム処理、画像の色合いや輝度の調整等の画像処理を行う。画像処理部２５は、プロジェクター制御部３により指定された処理を実行し、必要に応じて、プロジェクター制御部３から入力されるパラメーターを使用して処理を行う。また、画像処理部２５は、上記のうち複数の画像処理を組み合わせて実行することも勿論可能である。
画像処理部２５は、処理の終了した画像データをフレームメモリー２４から読み出して光変調装置駆動部２２に出力する。
【００４４】
操作部５１は、操作パネル５１１、リモコン受光部５１２、及び入力処理部５１３を備える。
【００４５】
操作パネル５１１は、プロジェクター１の筐体に設けられ、ユーザーが操作可能な各種スイッチを備える。入力処理部５１３は、操作パネル５１１の各スイッチの操作を検出する。
リモコン受光部５１２は、リモコン５０が送信する赤外線信号を受光する。入力処理部５１３は、リモコン受光部５１２が受光した信号をデコードして、操作データを生成し、プロジェクター制御部３に出力する。
入力処理部５１３は、操作パネル５１１、及びリモコン受光部５１２に接続される。入力処理部５１３は、操作パネル５１１またはリモコン受光部５１２でユーザーの操作を受け付けた場合に、受け付けた操作に対応する操作データを生成してプロジェクター制御部３に出力する。
【００４６】
次に、端末装置２の構成について説明する。
図４は、端末装置２の構成を示す図である。
【００４７】
端末装置２は、端末装置２の各部を制御する端末制御部６０を備える。
端末制御部６０は、演算処理を実行するＣＰＵである端末ＣＰＵ６００、及び、端末記憶部６０１により構成される。端末記憶部６０１は、記憶部に相当する。端末記憶部６０１は、端末ＣＰＵ６００が実行する制御プログラム６０１Ａ、設定データ６０１Ｂ、及び専用ソフト６０１Ｃを不揮発的に記憶する記憶装置であり、フラッシュＲＯＭ等の半導体記憶素子等で構成される。端末記憶部６０１は、端末ＣＰＵ６００のワークエリアを構成するＲＡＭを含んでもよい。設定データ６０１Ｂは、端末装置２の動作に関する設定値を含む。専用ソフト６０１Ｃは、端末ＣＰＵ６００により実行されることで、端末制御部６０がソフトウェアとハードウェアの協働によりプロジェクター１のシングル画面投射、及びマルチ画面投射に係る動作を実行するためのソフトウェアプログラムである。専用ソフト６０１Ｃは、予め端末装置２にインストールされている。
【００４８】
端末装置２は、端末表示部６２を備える。端末表示部６２は、表示パネル６２１を備え、端末制御部６０の制御で、表示パネル６２１に各種情報を表示する。
【００４９】
端末装置２は、端末入力部６３を備える。端末入力部６３は、キーボード、マウス、その他の入力手段を備え、入力手段に対するユーザーの操作を検出して、操作に基づく操作情報を生成し、操作情報を端末制御部６０に出力する。端末制御部６０は、端末入力部６３からの操作情報に基づいて、入力手段に対するユーザーの操作に対応する処理を実行する。
【００５０】
端末装置２は、端末Ｉ／Ｆ６４を備える。端末Ｉ／Ｆ６４は、データ通信用の有線端末Ｉ／Ｆ６４１と、データ通信用の無線端末Ｉ／Ｆ６４２とを備える。有線端末Ｉ／Ｆ６４１は、ＨＤＭＩやＵＳＢ等の有線通信規格に準拠したコネクター及びＩ／Ｆ回路等の通信デバイスを備え、有線通信規格に従ってデータを送信する。
【００５１】
無線端末Ｉ／Ｆ６４２は、第１無線端末Ｉ／Ｆ６４２Ａと、第２無線端末Ｉ／Ｆ６４２Ｂとを備える。第１無線端末Ｉ／Ｆ６４２Ａは、第１端末通信部に相当する。また、第２無線端末Ｉ／Ｆ６４２Ｂは、第２端末通信部に相当する。
第１無線端末Ｉ／Ｆ６４２Ａは、Ｉ／Ｆ回路等により構成された無線通信デバイスであり、所定の無線通信規格に従ってデータを第１通信方式によって受信する。第２無線端末Ｉ／Ｆ６４２Ｂは、Ｉ／Ｆ回路等により構成された無線通信デバイスであり、所定の無線通信規格に従って第２通信方式によってデータを受信する。
【００５２】
次に、プロジェクター１と端末装置２との動作について説明する。
図５は、プロジェクター１と端末装置２との動作を示すフローチャートである。図５においてフローチャートＦＡは、端末装置２の動作を示す。また、図５においてフローチャートＦＢは、プロジェクター１の動作を示す。
【００５３】
フローチャートＦＡを参照して、端末装置２の端末制御部６０は、専用ソフト６０１Ｃを起動すると（ステップＳＡ１）、第２無線端末Ｉ／Ｆ６４２Ｂによりプロジェクター１の第２無線ＰＪＩ／Ｆ２３２Ｂと通信接続する（ステップＳＡ２）。また、フローチャートＦＢを参照して、プロジェクター１のプロジェクター制御部３は、第２無線ＰＪＩ／Ｆ２３２Ｂにより、専用ソフト６０１Ｃを起動した端末装置２の第２無線端末Ｉ／Ｆ６４２Ｂと通信接続する（ステップＳＢ１）。
【００５４】
無線ネットワークＮＷを構築するアクセスポイントＡＰは、無線ネットワークＮＷを識別するための識別情報であるネットワーク識別情報を有する。また、アクセスポイントＡＰは、無線ネットワークＮＷへ接続するための認証情報を有する。無線ネットワークＮＷが、ＩＥＥＥ８０２．１１ｘで規定される無線ＬＡＮである場合、ネットワーク識別情報は、ＳＳＩＤである。また、認証情報は、パスフレーズ及び暗号化方式を含む。パスフレーズは、無線ＬＡＮによる通信を暗号化するために使用される暗号鍵である。
【００５５】
プロジェクター１は、アクセスポイントＡＰのＳＳＩＤ、及び認証情報が、プロジェクター１の設定データ３１２に設定値として設定されることにより、無線ネットワークＮＷに接続する。また、端末装置２は、アクセスポイントＡＰのＳＳＩＤ、及び認証情報が、端末装置２の設定データ６０１Ｂに設定値として設定されることにより、無線ネットワークＮＷに接続する。これにより、プロジェクター１と端末装置２とは、第２通信方式による無線通信可能に通信接続する。
【００５６】
端末装置２は、ステップＳＡ２においてプロジェクター１と通信接続する際に、プロジェクター１のネットワーク情報を取得する。ネットワーク情報は、プロジェクター１の第２無線ＰＪＩ／Ｆ２３２Ｂと通信接続するための情報であって、無線ネットワークＮＷに接続される装置毎に固有の情報である。ネットワーク情報としては、ＩＰアドレスが一例として挙げられる。ネットワーク情報は、第２接続情報に相当する。プロジェクター１のネットワーク情報は、事前に割り当てられ予めプロジェクター記憶部３１等に記憶されている。
【００５７】
端末装置２の端末制御部６０は、ステップＳＡ２で取得したプロジェクター１のネットワーク情報を、端末記憶部６０１に記憶させる（ステップＳＡ３）。
【００５８】
次いで、端末制御部６０は、マルチ画面投射においてプロジェクター１に投射させる画像を示す画像データを、第２無線端末Ｉ／Ｆ６４２Ｂによってプロジェクター１に送信する（ステップＳＡ４）。
【００５９】
以下では、プロジェクター１がマルチ画面投射を実行する際に端末装置２がプロジェクター１へ送信する画像データを、マルチ画面用画像データという。マルチ画面用画像データは、第２画像データに相当する。本実施形態では、マルチ画面用画像データは、端末表示部６２の表示パネル６２１に表示されている画像の静止画像データである。つまり、マルチ画面用画像データは、端末装置２が表示している画面をキャプチャーした画像データである。マルチ画面用画像データは、ＪＰＥＧ等の所定の圧縮形式で圧縮された画像データであってもよい。端末制御部６０は、マルチ画面用画像データを、予め設定された所定の周期で第２無線端末Ｉ／Ｆ６４２Ｂによりプロジェクター１へ送信する。
【００６０】
フローチャートＦＢを参照して、プロジェクター１のプロジェクター制御部３は、第２無線ＰＪＩ／Ｆ２３２Ｂによって、端末装置２からマルチ画面用画像データを受信する（ステップＳＢ２）。そして、プロジェクター制御部３は、投射部１０によって、マルチ画面用画像データに基づく画像であるマルチ画面用画像を複数配置したマルチ画面投射を開始する（ステップＳＢ２）。マルチ画面用画像は、第２画像に相当する。例えば、図２に示す４台の端末装置２のそれぞれからマルチ画面用画像データを受信した場合、プロジェクター１は、４つのマルチ画面用画像を配置して投射するマルチ画面投射を実行する。
【００６１】
フローチャートＦＡを参照し、端末装置２の端末制御部６０は、プロジェクター１の投射態様をマルチ画面投射からシングル画面投射に切り替えるか否かを判別する（ステップＳＡ５）。例えば、端末制御部６０は、端末入力部６３からシングル画面投射に切り替える操作を示す操作情報を取得した場合、ステップＳＡ５において肯定判別する。また、例えば、端末制御部６０は、端末入力部６３からシングル画像投射に切り替える操作を示す操作情報を取得しない場合、ステップＳＡ５において否定判別する。
【００６２】
端末制御部６０は、プロジェクター１の投射態様をマルチ画面投射からシングル画面投射に切り替えないと判別した場合（ステップＳＡ５：ＮＯ）、プロジェクター１による画像の投射を終了か否かを判別する（ステップＳＡ６）。端末制御部６０は、プロジェクター１による画像の投射を終了しないと判別した場合（ステップＳＡ６：ＮＯ）、再度、ステップＳＡ５の処理を実行する。一方で、端末制御部６０は、プロジェクター１による画像の投射を終了すると判別した場合（ステップＳＡ６：ＹＥＳ）、マルチ画面用画像データの送信を終了して、専用ソフト６０１Ｃの実行を終了し（ステップＳＡ７）、本処理を終了する。
【００６３】
ステップＳＡ５の説明に戻り、端末制御部６０は、プロジェクター１の投射態様をマルチ画面投射からシングル画面投射に切り替えると判別した場合（ステップＳＡ５：ＹＥＳ）、無線通信デバイス識別情報の要求を示す要求情報を、第２無線端末Ｉ／Ｆ６４２Ｂによりプロジェクター１へ送信する（ステップＳＡ８）。無線通信デバイス識別情報とは、第１無線ＰＪＩ／Ｆ２３２Ａに接続するための情報であって、１の第１無線ＰＪＩ／Ｆ２３２Ａごとに割り当てられた第１無線ＰＪＩ／Ｆ２３２Ａを識別する識別情報である。無線通信デバイス識別情報は、第１接続情報に相当する。
【００６４】
フローチャートＦＢを参照して、プロジェクター１のプロジェクター制御部３は、第２無線ＰＪＩ／Ｆ２３２Ｂにより要求情報を受信する（ステップＳＢ３）。次いで、プロジェクター制御部３は、無線通信デバイス識別情報を、第２無線ＰＪＩ／Ｆ２３２Ｂにより端末装置２へ送信する（ステップＳＢ４）。
【００６５】
フローチャートＦＡを参照して、端末装置２の端末制御部６０は、第２無線端末Ｉ／Ｆ６４２Ｂによってプロジェクター１から無線通信デバイス識別情報を受信する（ステップＳＡ９）。次いで、端末制御部６０は、受信した無線通信デバイス識別情報を、端末記憶部６０１に記憶したプロジェクター１のネットワーク情報に対応付けて記憶させる（ステップＳＡ１０）。
【００６６】
次いで、端末制御部６０は、第２無線端末Ｉ／Ｆ６４２Ｂによって、マルチ画面投射からシングル画面投射への投射態様の切り替えを指示する制御情報を、プロジェクター１へ送信する（ステップＳＡ１１）。フローチャートＦＢを参照して、プロジェクター１のプロジェクター制御部３は、第２無線ＰＪＩ／Ｆ６４２Ｂによって、制御情報を端末装置２から受信する（ステップＳＢ５）。
【００６７】
プロジェクター制御部３は、制御情報を受信すると、第２無線ＰＪＩ／Ｆを制御して、第２無線端末Ｉ／Ｆ６４２Ｂとの通信接続を切断する（ステップＳＢ６）。また、フローチャートＦＡを参照して、端末装置２の端末制御部６０は、第２無線端末Ｉ／Ｆ６４２Ｂを制御して、第２無線ＰＪＩ／Ｆ２３２Ｂとの通信接続を切断する（ステップＳＡ１２）。
【００６８】
フローチャートＦＢを参照して、端末装置２の第２無線端末Ｉ／Ｆ６４２Ｂとの通信接続を切断すると、プロジェクター１のプロジェクター制御部３は、第１無線ＰＪＩ／Ｆ２３２Ａによる端末装置２との通信接続を待機する状態に移行する（ステップＳＢ７）。
【００６９】
フローチャートＦＡを参照して、端末装置２の端末制御部６０は、第２無線ＰＪＩ／Ｆ２３２Ｂとの通信接続を切断すると、ステップＳＡ１０で記憶した無線通信デバイス識別情報に基づいて、第１無線端末Ｉ／Ｆ６４２Ａと通信接続可能な第１無線ＰＪＩ／Ｆ２３２Ａを検索する（ステップＳＡ１３）。
【００７０】
次いで、端末制御部６０は、検索した第１無線ＰＪＩ／Ｆ２３２Ａを備えるプロジェクター１に、第１無線端末Ｉ／Ｆ６４２Ａによって通信接続の要求を示す要求情報を送信する（ステップＳＡ１４）。
【００７１】
フローチャートＦＢを参照して、プロジェクター１のプロジェクター制御部３は、第１無線ＰＪＩ／Ｆ２３２Ａによって要求情報を受信する（ステップＳＢ８）。次いで、プロジェクター制御部３は、第１無線ＰＪＩ／Ｆ２３２Ａにより、端末装置２の第１無線端末Ｉ／Ｆ６４２Ａと通信接続する（ステップＳＢ９）。
【００７２】
また、フローチャートＦＡを参照して、端末装置２の端末制御部６０は、第１無線端末Ｉ／Ｆ６４２Ａによりプロジェクター１の第１無線ＰＪＩ／Ｆ２３２Ａと通信接続する（ステップＳＡ１５）。
【００７３】
次いで、端末制御部６０は、シングル画面投射においてプロジェクター１に投射させる画像を示す画像データを、第１無線端末Ｉ／Ｆ６４２Ａによってプロジェクター１へ送信する（ステップＳＡ１６）。
【００７４】
以下では、シングル画面投射の実行時においてプロジェクター１に送信する画像データを、シングル画面用画像データという。シングル画面用画像データは、第１画像データに相当する。本実施形態では、シングル画面用画像データは、ストリーミング送信される映像データであり、ステップＳＡ１６で、端末制御部６０は、映像データを第１無線端末Ｉ／Ｆ６４２Ａによってストリーミング送信する。
【００７５】
フローチャートＦＢを参照して、プロジェクター１のプロジェクター制御部３は、第１無線ＰＪＩ／Ｆ２３２Ａによってシングル画面用画像データを受信する（ステップＳＢ１０）。そして、プロジェクター制御部３は、シングル画面投射を投射部１０に実行させる（ステップＳＢ１０）。シングル画面投射は、シングル画面用画像データに基づく画像であるシングル画面用画像を、投射部１０により１つ投射する動作である。シングル画面用画像は、第１画像に相当する。
【００７６】
以上のように、プロジェクター制御部３は、プロジェクター１がマルチ画面投射する場合、第２無線ＰＪＩ／Ｆ２３２Ｂによって複数の端末装置２から受信した複数のマルチ画面用画像データに基づく複数のマルチ画面用画像を投射部１０に投射させる。一方で、プロジェクター制御部３は、プロジェクター１がシングル画面投射する場合、第１無線ＰＪＩ／Ｆ６４２Ｂによって１の端末装置２から受信したシングル画面用画像データに基づくシングル画面用画像を投射部１０に投射させる。
【００７７】
前述した通り、マルチ画面用画像データは、静止画像データであり、シングル画面用画像データは、ストリーミング送信される映像データである。一般に、ストリーミングデータを伝送するために必要な帯域は静止画像データに比べて大きい。つまり、シングル画面用画像データの単位時間当たりのデータ量は、マルチ画面用画像データより大きい。
【００７８】
投射システム１００でプロジェクター１にマルチ画面投射を実行させる場合、複数の端末装置２からプロジェクター１へ送信するデータとしては、マルチ画面用画像データが好適である。
【００７９】
仮に、複数の端末装置２が第２通信方式で映像データをプロジェクター１へストリーミング送信すると、通信帯域が逼迫する可能性がある。このため、プロジェクター１に映像データをストリーミング送信する通信方式としては、第１通信方式が必要であるが、複数の端末装置２とプロジェクター１とが第１通信方式で通信するためには、プロジェクター１が第１無線ＰＪＩ／Ｆ２３２Ａを複数備える必要がある。この構成は、プロジェクター１の構成の複雑化、サイズの拡大、及びコストの面で実現可能性が低い。
【００８０】
そこで、本実施形態の投射システム１００では、プロジェクター１がマルチ画面投射する場合、各々の端末装置２がプロジェクター１にマルチ画面用画像データを送信する。プロジェクター制御部３は、複数の端末装置２から受信した複数のマルチ画面用画像データに基づく複数のマルチ画面用画像を投射部１０に投射させる。
この構成によれば、第２通信方式の帯域であっても、端末装置２からプロジェクター１に確実に画像データを送信できる。また、マルチ画面投射を行う場合、端末装置２が送信する１つの画像が占める面積は、シングル画面表示よりも小さい。このため、マルチ画面投射では、端末装置２が送信する画像データの画質に対する要求が、シングル画面表示を行う場合よりも低い。従って、端末装置２が送信するマルチ画面用画像データが静止画像データであっても、プロジェクター１の表示品質に問題を生じない。
【００８１】
また、マルチ画面用画像データは、予め設定された所定の周期で端末装置２が送信する静止画像データである。このため、端末装置２における表示の変化が、プロジェクター１の投射画面に反映されるまでに時間がかかることがあり、リアルタイム性ではシングル画面用データに劣る。さらに、上記のように、シングル画面用画像データは、マルチ画面用画像データよりも画質が優れる。
【００８２】
そこで、投射システム１００では、プロジェクター１がシングル画面投射する場合、端末装置２からシングル画面用画像データを送信する。この動作は、プロジェクター１が備える１つの第１無線ＰＪＩ／Ｆ２３２Ａを利用して容易に実現可能であり、端末装置２が表示している画面を、リアルタイムに反映した投射画像を投射できる。
【００８３】
このように、投射システム１００は、プロジェクター１がシングル画面投射する場合と、マルチ画面投射する場合とで、通信方式を切り替える。これにより、複数の端末装置２からプロジェクター１に画像データを伝送する目的に適した第２通信方式と、１対１の通信に適した第１通信方式とを適切に切り替えて、画像データを伝送できる。
さらに、投射システム１００は、プロジェクター１の投射の態様に応じて、通信方式とともに、画像データの態様を切り替える。詳細には、必要な伝送帯域が小さい反面、リアルタイム性に劣る静止画像データと、リアルタイム性に優れる反面、必要な伝送帯域が小さいストリーミング映像データとを切り替える。これにより、端末装置２とプロジェクター１との間の通信を安定させ、より高画質で、画像を投射できる。
さらにまた、投射システム１００は、プロジェクター１の投射の態様に応じて、端末装置２がプロジェクター１に送信する画像の画質を切り替えてもよい。すなわち、プロジェクター１がシングル画面投射する場合は、広帯域の第１通信方式を用いるため、端末装置２が送信する画像データの画質を高画質に設定してもよい。また、プロジェクター１がマルチ画面投射する場合は、狭帯域の第２通信方式を用いるため、端末装置２が送信する画像データの画質を、シングル画面表示よりも低画質に設定してもよい。
【００８４】
また、端末装置２の端末制御部６０は、第２無線端末Ｉ／Ｆ６４２Ｂによってプロジェクター１と通信する際に、取得したプロジェクター１のネットワーク情報を端末記憶部６０１に記憶させる。そして、端末制御部６０は、マルチ画面投射からシングル画面投射に切り替わる際に、無線通信デバイス識別情報を取得し、取得した無線通信デバイス識別情報を端末記憶部６０１に記憶したネットワーク情報に対応付けて記憶させる。これにより、端末制御部６０は、第２無線端末Ｉ／Ｆ６４２Ｂによってプロジェクター１と接続するための情報と、第１無線端末Ｉ／Ｆ６４２Ａによりプロジェクター１と接続するための情報とを、対応付けた態様で保持できる。このため、第１無線端末Ｉ／Ｆ６４２Ａによる接続と第２無線端末Ｉ／Ｆ６４２Ｂによる接続とを切り替える場合に、接続するプロジェクター１を容易に特定することができ、速やかに接続を確立できる。
【００８５】
また、端末制御部６０は、プロジェクター１に対してマルチ画面投射からシングル画面投射への切り替えを指示する制御情報を送信し、端末記憶部６０１が記憶した無線通信デバイス識別情報に基づいてプロジェクター１と通信接続する。これにより、端末制御部６０は、マルチ画面用画像データを送信したプロジェクター１と同じプロジェクター１にシングル画面用画像データを送信できる。
【００８６】
図５のフローチャートＦＡを参照し、端末装置２の端末制御部６０は、プロジェクター１の投射態様をシングル画面投射からマルチ画面投射に切り替えるか否かを判別する（ステップＳＡ１７）。
【００８７】
端末制御部６０は、プロジェクター１の投射態様をシングル画面投射からマルチ画面投射に切り替えないと判別した場合（ステップＳＡ１７：ＮＯ）、プロジェクター１による画像の投射を終了するか否かを判別する（ステップＳＡ１８）。端末制御部６０は、プロジェクター１による画像の投射を終了しないと判別した場合（ステップＳＡ１８：ＮＯ）、再度、ステップＳＡ１７の処理を実行する。一方で、端末制御部６０は、プロジェクター１による画像の投射を終了すると判別した場合（ステップＳＡ１８：ＹＥＳ）、専用ソフト６０１Ｃの起動を終了し（ステップＳＡ１９）、本処理を終了する。
【００８８】
ステップＳＡ１７の説明に戻り、端末制御部６０は、プロジェクター１の投射態様をシングル画面投射からマルチ画面投射に切り替えると判別した場合（ステップＳＡ１７：ＹＥＳ）、プロジェクター１にシングル画面投射からマルチ画面投射への投射態様の切り替えを指示する制御情報を第１無線端末Ｉ／Ｆ６４２Ａによって送信する（ステップＳＡ２０）。フローチャートＦＢを参照して、プロジェクター１のプロジェクター制御部３は、第１無線ＰＪＩ／Ｆ２３２Ａによって、制御情報を受信する（ステップＳＢ１１）。
【００８９】
フローチャートＦＡを参照して、端末制御部６０は、第２通信方式による通信の再接続を指示する再接続指示情報を、第１無線端末Ｉ／Ｆ６４２Ａによって送信する（ステップＳＡ２１）。そして、端末制御部６０は、第１無線端末Ｉ／Ｆ６４２Ａを制御して、第１無線ＰＪＩ／Ｆ２３２Ａとの通信接続を切断する（ステップＳＡ２１）。
【００９０】
フローチャートＦＢを参照して、プロジェクター制御部３は、再接続指示情報を受信する（ステップＳＢ１２）。そして、プロジェクター制御部３は、第１無線ＰＪＩ／Ｆ２３２Ａを制御して、端末装置２の第１無線端末Ｉ／Ｆ６４２Ａとの通信接続を切断する（ステップＳＢ１３）。
【００９１】
フローチャートＦＡを参照して、端末制御部６０は、ステップＳＡ３で記憶したネットワーク情報に基づいて、ネットワーク情報が示すプロジェクター１の第２無線ＰＪＩ／Ｆ２３２Ｂと通信接続する（ステップＳＡ２３）。また、フローチャートＦＢを参照して、プロジェクター制御部３は、端末装置２の第２無線端末Ｉ／Ｆ６４２Ｂと通信接続を行う（ステップＳＢ１４）。
【００９２】
端末制御部６０は、プロジェクター１の第２無線ＰＪＩ／Ｆ２３２Ｂと通信接続を行うと、処理をステップＳＡ４に戻し、マルチ画面用画像データをプロジェクター１に送信する。また、プロジェクター制御部３は、端末装置２の第２無線端末Ｉ／Ｆ６４２Ｂと通信接続を行うと、処理をステップＳＡ２に戻し、端末装置２から受信したマルチ画面用画像データに基づいてマルチ画面投射用画像を複数配置して投射するマルチ画面投射する。
【００９３】
ステップＳＡ２で説明したように、端末装置２の端末制御部６０は、取得したプロジェクター１のネットワーク情報を端末記憶部６０１に記憶させる。これにより、端末制御部６０は、第２無線端末Ｉ／Ｆ６４２Ｂによってプロジェクター１と接続するための情報を記憶する。このため、一旦、第２無線端末Ｉ／Ｆ６４２Ｂによる接続を切断した後で、再び第２無線端末Ｉ／Ｆ６４２Ｂによりプロジェクター１に接続する際に、速やかに接続を確立できる。
【００９４】
また、端末制御部６０は、シングル画像投射からマルチ画像投射に切り替わる際に、切り替えを指示する制御情報を送信し、端末記憶部６０１に記憶したネットワーク情報に基づいて、第２無線ＰＪＩ／Ｆ２３２Ｂと通信接続を行う。これにより、端末制御部６０は、シングル画面用画像データを送信したプロジェクター１と同じプロジェクター１にマルチ画面用画像データを送信できる。
【００９５】
以上、説明したように、投射システム１００は、複数の端末装置２と、プロジェクター１とを備える。図１では、端末装置２Ａが第１端末装置に相当し、端末装置２Ｂ、２Ｃ、２Ｄのそれぞれが第２端末装置に相当する。端末装置２の各々は、シングル画面用画像データを第１通信方式によってプロジェクター１に送信する第１無線端末Ｉ／Ｆ６４２Ａと、シングル画面用画像データより狭い通信帯域で送信可能なマルチ画面用画像データを、第２通信方式によってプロジェクター１に送信する第２無線端末Ｉ／Ｆ６４２Ｂと、を有する。プロジェクター１は、第１通信方式によってシングル画面用画像データを端末装置２から受信する第１無線ＰＪＩ／Ｆ２３２Ａと、第２通信方式によってマルチ画面用画像データを端末装置２から受信する第２無線ＰＪＩ／Ｆ２３２Ｂと、シングル画面投射と、マルチ画面投射とを行う投射部１０と、を有する。投射部１０がシングル画面投射を行う場合、第１無線ＰＪＩ／Ｆ２３２Ａは、１の端末装置２からシングル画面用画像データを受信し、投射部１０は、受信したシングル画面用画像データのみに基づくシングル画面用画像を投射する。また、投射部１０がマルチ画面投射を行う場合、第２無線ＰＪＩ／Ｆ２３２Ｂは、複数の端末装置２からマルチ画面用画像データを受信し、投射部１０は、受信した複数のマルチ画面用画像データに基づく複数のマルチ画面用画像を投射する。
【００９６】
この構成によれば、プロジェクター１により、端末装置から受信するデータに基づき１つの画像を投射するシングル画面投射と、複数の画像を投射するマルチ画面投射とを実行する場合に、投射方式に応じて、好適な通信方式を利用できる。このため、プロジェクター１の投射態様に適した画像データの伝送を行うことで、通信を安定化させることができ、好適な画質を得ることができる。
【００９７】
例えば、シングル画面表示を行う場合は、広帯域の第１通信方式を利用することで、リアルタイム性や画質に優れた画像データを送信することが可能となる。また、例えば、マルチ画面表示を行う場合は、狭帯域の第２通信方式を利用することで、プロジェクター１が送受信するデータ量が過大となる現象を防止でき、通信の安定化を図ることができる。また、複数の端末装置２とプロジェクター１との通信を、１つの第２無線ＰＪＩ／Ｆ２３２Ｂにより実現でき、コスト面で有利である。このように、投射システム１００は、プロジェクター１の投射態様に応じて通信方式を切り替えることで、適切に画像データを伝送できる。
【００９８】
プロジェクター１は、投射部１０に対してシングル画面投射とマルチ画面投射表示とを切り替えて投射させるプロジェクター制御部３を、有する。
【００９９】
この構成によれば、プロジェクター１の投射態様に適した画像データの伝送を行うことで、好適な画質を得ることができるため、プロジェクター制御部３は、好適な画質を得つつ、シングル画面投射とマルチ画面投射とを切り替えて投射部１０に投射させることができる。
【０１００】
端末装置２は、端末記憶部６０１と、第２無線ＰＪＩ／Ｆ２３２Ｂと通信接続するためのネットワーク情報を端末記憶部６０１に記憶させる端末制御部６０と、を有する。
【０１０１】
この構成によれば、端末制御部６０は、第２無線端末Ｉ／Ｆ６４２Ｂによってプロジェクター１と接続するための情報を記憶する。このため、一旦、第２無線端末Ｉ／Ｆ６４２Ｂによる接続を切断した後で、再び第２無線端末Ｉ／Ｆ６４２Ｂによりプロジェクター１に接続する際に、速やかに接続を確立できる。
【０１０２】
また、端末制御部６０は、プロジェクター１がマルチ画面投射からシングル画面投射に切り替わる際に、第１無線ＰＪＩ／Ｆ２３２Ａと通信接続するための無線通信デバイス識別情報を、第２無線端末Ｉ／Ｆ６４２Ｂによってプロジェクター１から取得する。端末制御部６０は、取得した無線通信デバイス識別情報を、端末記憶部６０１に記憶したネットワーク情報と対応付けて、端末記憶部６０１に記憶させる。
【０１０３】
この構成によれば、端末装置２は、第２無線端末Ｉ／Ｆ６４２Ｂによってプロジェクター１と接続するための情報と、第１無線端末Ｉ／Ｆ６４２Ａによってプロジェクター１と接続するための情報とを、対応付けた態様で保持できる。このため、第１無線端末Ｉ／Ｆ６４２Ａによる接続と第２無線端末Ｉ／Ｆ６４２Ｂによる接続とを切り替える場合に、接続するプロジェクター１を容易に特定することができ、速やかに接続を確立できる。
【０１０４】
端末制御部６０は、無線通信デバイス識別情報を第２無線端末Ｉ／Ｆ６４２Ｂによってプロジェクター１から取得した後に、プロジェクター１に対してマルチ画面投射からシングル画面投射への切り替えを指示する制御情報を第１無線端末Ｉ／Ｆ６４２Ａによって送信する。端末制御部６０は、端末記憶部６０１に記憶した無線通信デバイス識別情報に基づいて第１無線端末Ｉ／Ｆ６４２Ａによって第１無線ＰＪＩ／Ｆ２３２Ａと通信接続する。
【０１０５】
この構成によれば、端末制御部６０は、マルチ画面用画像データを送信したプロジェクター１と同じプロジェクター１にシングル画面用画像データを送信できる。
【０１０６】
また、端末制御部６０は、プロジェクター１に対してシングル画面投射からマルチ画面投射への切り替えを指示する制御情報を第１無線端末Ｉ／Ｆ６４２Ａによって送信し、端末記憶部６０１に記憶したネットワーク情報に基づいて、第２無線端末Ｉ／Ｆ６４２Ｂによって第２無線ＰＪＩ／Ｆ２３２Ｂと通信接続する。
【０１０７】
この構成によれば、端末制御部６０は、シングル画面用画像データを送信したプロジェクター１と同じプロジェクター１にマルチ画面用画像データを送信できる。
【０１０８】
また、第１無線端末Ｉ／Ｆ６４２Ａは、シングル画面用画像データとして映像データをストリーミング送信する。第２無線端末Ｉ／Ｆ６４２Ｂは、マルチ画面用画像データとして静止画像データを送信する。
【０１０９】
この構成によれば、投射システム１００は、プロジェクター１がシングル画面投射を実行する場合、リアルタイムに映像を投射でき、プロジェクター１がマルチ画面投射を実行する場合、通信に係る不具合の発生を抑制しつつ複数の画像を投射できる。
【０１１０】
端末装置２は、端末表示部６２を備え、第２無線端末Ｉ／Ｆは、マルチ画面用画像データとして、端末表示部６２に表示された画像の静止画像データを送信する。
【０１１１】
この構成によれば、通信に係る不具合の発生を抑制しつつ、端末装置２の端末表示部６２に表示された画像を複数投射できる。
【０１１２】
端末装置２は、端末表示部６２を備える。マルチ画面用画像データは、端末表示部６２に表示された画像データを圧縮したキャプチャー画像である。
【０１１３】
この構成によれば、通信に係る不具合の発生を抑制しつつ、端末装置２の端末表示部６２に表示された画像と同じ画像を複数投射できる。
【０１１４】
上述した実施形態及び各変形例は、本発明の好適な実施の形態である。ただし、これに限定されるものではなく、本発明の要旨を逸脱しない範囲内において種々の変形実施が可能である。
【０１１５】
例えば、上述した投射システム１００の制御方法が、プロジェクター１、及び端末装置２が備えるコンピューター、又は、プロジェクター１及び端末装置２に接続される外部装置を用いて実現される場合、本発明を、当該方法を実現するためにコンピューターが実行するプログラム、このプログラムをコンピューターで読み取り可能に記録した記録媒体、或いは、このプログラムを伝送する伝送媒体の態様で構成することも可能である。投射システム１００の制御方法は、表示システムの制御方法に相当する。
【０１１６】
また、図５に示すフローチャートの処理単位は、プロジェクター１、及び端末装置２の処理を理解容易にするために、主な処理内容に応じて分割したものである。図５のフローチャートに示す処理単位の分割の仕方や名称によって本発明が制限されることはない。また、プロジェクター１、及び端末装置２の処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【０１１７】
また、図３に示すプロジェクター１の各機能部とは、ハードウェアとソフトウェアとの協働により実現される機能的構成を示すものであって、具体的な実装形態は特に制限されない。また、図４に示すプロジェクター１の各機能部とは、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。
【０１１８】
また、本発明の表示装置は、スクリーンＳＣに画像を投射するプロジェクターに限定されない。例えば、表示装置は、液晶表示パネルに画像を表示する液晶表示装置や、有機ＥＬパネルに画像を表示する表示装置など、自発光型の表示装置を含む。また、その他の各種の表示装置も本発明の表示装置に含まれる。
【符号の説明】
【０１１９】
１…プロジェクター（表示装置）、２、２Ａ、２Ｂ、２Ｃ、２Ｄ…端末装置、３…プロジェクター制御部（表示装置制御部）、１０…投射部（表示部）、１１…光源、１２…光変調装置、１３…投射光学系、２１…光源駆動部、２２…光変調装置駆動部、２３…プロジェクターＩ／Ｆ、２４…フレームメモリー、２５…画像処理部、２６…バス、３０…プロジェクターＣＰＵ、３１…プロジェクター記憶部、５０…リモコン、５１…操作部、６０…端末制御部、６２…端末表示部、１００…投射システム（表示システム）、２３２Ａ…第１無線ＰＪＩ／Ｆ（第１表示通信部）、２３２Ｂ…第２無線ＰＪＩ／Ｆ（第２表示通信部）、３１１…制御プログラム、３１２…設定データ、５１１…操作パネル、５１２…リモコン受光部、５１３…入力処理部、６０１…端末記憶部（記憶部）、６４２Ａ…第１無線端末Ｉ／Ｆ（第１端末通信部）、６４２Ｂ…第２無線端末Ｉ／Ｆ（第２端末通信部）。
【図１】
2020027996.tif 000003
【図２】
2020027996.tif 000004
【図３】
2020027996.tif 000005
【図４】
2020027996.tif 000006
【図５】
2020027996.tif 000007